(57)【特許請求の範囲】
【請求項１】
自動開閉扉がその上部側に横向ベースを備えていること、および、プーリやベルトを配置するための空間を横向ベースとの間に介在して取付板体が横向ベースに取り付けられていること、および、減速部入力軸や減速部出力軸を有する減速部が取付板体の表側に設けられていて減速部出力軸の前端部が取付板体の表側に突出しているとともに減速部入力軸の後端部が取付板体を貫通して取付板体の裏側に突出していること、および、取付板体の裏側にある減速部入力軸の後端部に減速部入力歯付プーリが取り付けられているとともに取付板体の表側にある減速部出力軸の前端部に減速部出力歯付主動プーリが取り付けられていること、および、モータが減速部に隣接して取付板体の表側に取り付けられているとともにモータ出力軸が取付板体を貫通してその貫通した端部が取付板体の裏側に突出していること、および、取付板体の裏側に突出したモータ出力軸の端部にモータ歯付プーリが取り付けられていること、および、取付板体の裏側においてモータ歯付プーリと減速部入力歯付プーリとにわたり減速部歯付ベルトが掛け回されていること、および、取付板体の表側において減速部出力歯付主動プーリとこれに対応する歯付従動プーリとにわたり出力部歯付ベルトが掛け回されていること、および、ドアが出力部歯付ベルトに取り付けられていること、および、モータ歯付プーリの回転が減速部歯付ベルトを介して減速部入力歯付プーリに伝達されたり減速部出力歯付主動プーリの回転が出力部歯付ベルトを介して歯付従動プーリに伝達されたりしてドアが開閉されるものであることを前提とする自動開閉扉において、電磁ソレノイドとしてプランジャを有するものを備えていて該プランジャに拘束ロッドが連設されていること、および、電磁ソレノイドがモータ歯付プーリの近くに配置されて取付板体の裏側に取り付けられているとともに拘束ロッドの先端部とモータ歯付プーリの歯間凹所とが相対係止自在に対応していること、および、モータ歯付プーリと拘束ロッドとの相対関係において、電磁ソレノイドへの通電または非通電により拘束ロッドがプランジャとともにモータ歯付プーリ側へ作動してモータ歯付プーリの歯間凹所に係止するものであるとともに電磁ソレノイドへの非通電または通電により拘束ロッドがプランジャとともに復帰してモータ歯付プーリの歯間凹所から離脱するものであることを特徴とする自動開閉扉におけるドア施錠装置。
【請求項２】
自動開閉扉がその上部側に横向ベースを備えていること、および、プーリやベルトを配置するための空間を横向ベースとの間に介在して取付板体が横向ベースに取り付けられていること、および、減速部入力軸や減速部出力軸を有する減速部が取付板体の表側に設けられていて減速部出力軸の前端部が取付板体の表側に突出しているとともに減速部入力軸の後端部が取付板体を貫通して取付板体の裏側に突出していること、および、取付板体の裏側にある減速部入力軸の後端部に減速部入力歯付プーリが取り付けられているとともに取付板体の表側にある減速部出力軸の前端部に減速部出力歯付主動プーリが取り付けられていること、および、モータが減速部に隣接して取付板体の表側に取り付けられているとともにモータ出力軸が取付板体を貫通してその貫通した端部が取付板体の裏側に突出していること、および、取付板体の裏側に突出したモータ出力軸の端部にモータ歯付プーリが取り付けられていること、および、取付板体の裏側においてモータ歯付プーリと減速部入力歯付プーリとにわたり減速部歯付ベルトが掛け回されていること、および、取付板体の表側において減速部出力歯付主動プーリとこれに対応する歯付従動プーリとにわたり出力部歯付ベルトが掛け回されていること、および、ドアが出力部歯付ベルトに取り付けられていること、および、モータ歯付プーリの回転が減速部歯付ベルトを介して減速部入力歯付プーリに伝達されたり減速部出力歯付主動プーリの回転が出力部歯付ベルトを介して歯付従動プーリに伝達されたりしてドアが開閉されるものであることを前提とする自動開閉扉において、電磁ソレノイドとしてプランジャを有するものを備えていて該プランジャに拘束ロッドが連設されていること、および、電磁ソレノイドが減速部入力歯付プーリの近くに配置されて取付板体の裏側に取り付けられているとともに拘束ロッドの先端部と減速部入力歯付プーリの歯間凹所とが相対係止自在に対応していること、および、モータ歯付プーリと拘束ロッドとの相対関係において、電磁ソレノイドへの通電または非通電により拘束ロッドがプランジャとともに減速部入力歯付プーリ側へ作動して減速部入力歯付プーリの歯間凹所と係止するものであるとともに電磁ソレノイドへの非通電または通電により拘束ロッドがプランジャとともに復帰して減速部入力歯付プーリの歯間凹所から離脱するものであることを特徴とする自動開閉扉におけるドア施錠装置。
【発明の詳細な説明】
【０００１】
【発明の属する技術分野】
本発明は自動開閉扉におけるドア施錠装置であって扉ロック手段を備えたものに関する。
【０００２】
【従来の技術】
ドア施錠装置としては各種のものがすでに提案されている。たとえば実開平６−５８０４８号公報には図３のような全体構成と図４のような扉ロック手段が開示されている。図３・図４の自動開閉扉では、モータａの回転を減速機構ｂに伝達し、これで回転する主動プーリｃと従動プーリｄとにわたり掛け回された無端ベルトｅにドアｆを連結してこれを走行レール（図示せず）の案内で左右方向へ開閉自在に走行させる。この従来例の自動開閉扉は片側にのみ第１出力軸ｇ１を突出させる汎用モータと異なり、第１、第２出力軸ｇ１、ｇ２が両側に対設された特殊なモータａを採択し、かつ、第１出力軸ｇ１で動力を減速機構ｂへ伝達するようにしたり、図４のごとき特異な構成部材を第２出力軸ｇ２に付加したりして扉ロック手段を構成している。
【０００３】
上記の従来例をさらに説明すると、モータａの第２出力軸ｇ２に図４（Ｂ）のごとき被拘束スプロケットｈの軸口ｉを嵌着し、別途適所に設けた電磁ソレノイドｊへの通電と非通電でプランジャｋを出没作動させ、プランジャｋから突設した拘束ロッドｍを案内ブロックｎの貫通案内孔ｐより出没させる。かくて拘束ロッドｍが被拘束スプロケットｈのスプロケット爪ｑ間の歯間空隙ｒに差し入れ自在となる。これで被拘束スプロケットｈの回転が阻止されるため、モータａの回転が阻止されてドアｆのロック状態が確保される。
【０００４】
上記の従来例はこのように、汎用モータでなく特殊モータを採択しなければならないからモータａが高価になり、被拘束スプロケットｈや案内ブロックｎなどの専用部品も別途に必要となる。したがってかなりのコストアップになり、組み立て作業にもかなりの労力と時間を費やす。それに特殊モータは生産工程が複雑化し、標準部品が使用できないから、生産効率もいじるしく低下する。
【０００５】
一方で、図５に示すような電磁ブレーキＳを使用するドア施錠装置も知られている。これの構成はつぎのとおりである。図５の従来例も特殊なモータａが必要である。図５で第１出力軸ｇ１は減速機構ｂに連結されており、第２出力軸ｇ２に貫装された可動板ｔとモータａとの間には発条ｕが介装されている。第２出力軸ｇ２の先端に固設された回転摩擦板ｖは可動板ｔと固定板部ｗとの間に挟装されるものである。さらに発条ｕの外周側に設けられた励磁コイルｘの励磁で磁化される電磁固定子ｙが発条ｕの内周側に固設される。かくて電磁ブレーキＳが構成される。
【０００６】
図５のドア施錠装置において同図（Ａ）のごとく励磁コイルｘへの通電が遮断されると、可動板ｔと回転摩擦板ｖとが発条ｕの弾発力により右方へ押動されて固定板部ｗに押当される。この場合はモータａの駆動で第２出力軸ｇ２の回転摩擦板ｖを回転させようとしても、回転摩擦板ｖと固定板部ｗとの間に発生する摩擦力でモータａの回転が阻止される。ちなみにこの際の摩擦力（静止トルク３〜５ｋｇｆ・ｃｍ程度）は、減速機構ｂでの減速比倍（１／１０程度）に増大された拘束力（静止トルク３０〜５０ｋｇｆ・ｃｍ）となってドアｆに作用する。つぎに図５（Ｂ）のごとく、電磁ブレーキＳの励磁コイルｘが通電励磁されると、励磁された電磁固定子ｙの磁力で可動板ｔが発条ｕの弾発力に抗して吸着変位する。その結果、図５（Ｂ）のごとく回転摩擦板ｖが固定板部ｗに対しても回転自由状態となり、かつ、モータａの第２出力軸ｇが拘束状態から解放されて回転が可能となるためドアｆが開閉できるようになる。
【０００７】
図５のように電磁ブレーキＳを使用する従来例の場合は、前記摩擦力以上の外力（５０ｋｇｆ・ｃｍ以上）でドアｆを牽引すれば扉が開く。これは防犯上の信頼性の点で満足できない。さらに特殊モータを用いなければならない不利や、電磁ブレーキＳをモータａと一体に組み込まねばならない組み立て作業上の手間も、安価なドア施錠装置の提供を困難にしている。
【０００８】
【発明が解決しようとする課題】
本発明は以上のような従来技術の課題に鑑み、自動開閉扉におけるドア施錠装置として、汎用モータの採用・施錠状態の信頼性・組み立て作業の簡易迅速化・小型化・低廉化が実現できるものを提供する。
【０００９】
【課題を解決するための手段】
本発明の請求項１に記載された自動開閉扉におけるドア施錠装置は所期の目的を達成するために下記の課題解決手段を特徴とする。すなわち請求項１のドア施錠装置は、自動開閉扉がその上部側に横向ベースを備えていること、および、プーリやベルトを配置するための空間を横向ベースとの間に介在して取付板体が横向ベースに取り付けられていること、および、減速部入力軸や減速部出力軸を有する減速部が取付板体の表側に設けられていて減速部出力軸の前端部が取付板体の表側に突出しているとともに減速部入力軸の後端部が取付板体を貫通して取付板体の裏側に突出していること、および、取付板体の裏側にある減速部入力軸の後端部に減速部入力歯付プーリが取り付けられているとともに取付板体の表側にある減速部出力軸の前端部に減速部出力歯付主動プーリが取り付けられていること、および、モータが減速部に隣接して取付板体の表側に取り付けられているとともにモータ出力軸が取付板体を貫通してその貫通した端部が取付板体の裏側に突出していること、および、取付板体の裏側に突出したモータ出力軸の端部にモータ歯付プーリが取り付けられていること、および、取付板体の裏側においてモータ歯付プーリと減速部入力歯付プーリとにわたり減速部歯付ベルトが掛け回されていること、および、取付板体の表側において減速部出力歯付主動プーリとこれに対応する歯付従動プーリとにわたり出力部歯付ベルトが掛け回されていること、および、ドアが出力部歯付ベルトに取り付けられていること、および、モータ歯付プーリの回転が減速部歯付ベルトを介して減速部入力歯付プーリに伝達されたり減速部出力歯付主動プーリの回転が出力部歯付ベルトを介して歯付従動プーリに伝達されたりしてドアが開閉されるものであることを前提とする自動開閉扉において、電磁ソレノイドとしてプランジャを有するものを備えていて該プランジャに拘束ロッドが連設されていること、および、電磁ソレノイドがモータ歯付プーリの近くに配置されて取付板体の裏側に取り付けられているとともに拘束ロッドの先端部とモータ歯付プーリの歯間凹所とが相対係止自在に対応していること、および、モータ歯付プーリと拘束ロッドとの相対関係において、電磁ソレノイドへの通電または非通電により拘束ロッドがプランジャとともにモータ歯付プーリ側へ作動してモータ歯付プーリの歯間凹所に係止するものであるとともに電磁ソレノイドへの非通電または通電により拘束ロッドがプランジャとともに復帰してモータ歯付プーリの歯間凹所から離脱するものであることを特徴とする。
【００１０】
本発明の請求項２に記載された自動開閉扉におけるドア施錠装置は所期の目的を達成するために下記の課題解決手段を特徴とする。すなわち請求項２のドア施錠装置は、自動開閉扉がその上部側に横向ベースを備えていること、および、プーリやベルトを配置するための空間を横向ベースとの間に介在して取付板体が横向ベースに取り付けられていること、および、減速部入力軸や減速部出力軸を有する減速部が取付板体の表側に設けられていて減速部出力軸の前端部が取付板体の表側に突出しているとともに減速部入力軸の後端部が取付板体を貫通して取付板体の裏側に突出していること、および、取付板体の裏側にある減速部入力軸の後端部に減速部入力歯付プーリが取り付けられているとともに取付板体の表側にある減速部出力軸の前端部に減速部出力歯付主動プーリが取り付けられていること、および、モータが減速部に隣接して取付板体の表側に取り付けられているとともにモータ出力軸が取付板体を貫通してその貫通した端部が取付板体の裏側に突出していること、および、取付板体の裏側に突出したモータ出力軸の端部にモータ歯付プーリが取り付けられていること、および、取付板体の裏側においてモータ歯付プーリと減速部入力歯付プーリとにわたり減速部歯付ベルトが掛け回されていること、および、取付板体の表側において減速部出力歯付主動プーリとこれに対応する歯付従動プーリとにわたり出力部歯付ベルトが掛け回されていること、および、ドアが出力部歯付ベルトに取り付けられていること、および、モータ歯付プーリの回転が減速部歯付ベルトを介して減速部入力歯付プーリに伝達されたり減速部出力歯付主動プーリの回転が出力部歯付ベルトを介して歯付従動プーリに伝達されたりしてドアが開閉されるものであることを前提とする自動開閉扉において、電磁ソレノイドとしてプランジャを有するものを備えていて該プランジャに拘束ロッドが連設されていること、および、電磁ソレノイドが減速部入力歯付プーリの近くに配置されて取付板体の裏側に取り付けられているとともに拘束ロッドの先端部と減速部入力歯付プーリの歯間凹所とが相対係止自在に対応していること、および、モータ歯付プーリと拘束ロッドとの相対関係において、電磁ソレノイドへの通電または非通電により拘束ロッドがプランジャとともに減速部入力歯付プーリ側へ作動して減速部入力歯付プーリの歯間凹所と係止するものであるとともに電磁ソレノイドへの非通電または通電により拘束ロッドがプランジャとともに復帰して減速部入力歯付プーリの歯間凹所から離脱するものであることを特徴とする。
【００１１】
【作用】
本発明の請求項１に記載されたドア施錠装置は施錠やその解除に際して電磁ソレノイドを通電状態にしたりこれを非通電状態にしたりする。一例として電磁ソレノイドへの通電でプランジャがモータ歯付プーリ側へ作動するときは、プランジャに連設された拘束ロッドの先端部がモータ歯付プーリの歯間凹所に進入してこれと係止状態になる。この係止状態がドア施錠状態である。当該装置が施錠状態になると、モータ歯付プーリの回転が拘束ロッドで阻止され、それによって伝動系全体の動きが拘束されるので、扉開閉方向の力を加えてもドアは動かない。逆に電磁ソレノイドへの非通電でプランジャが復帰するときはプランジャに連設された拘束ロッドの先端部がモータ歯付プーリの歯間凹所から離脱して前記の係止（施錠）が解除される。この場合はモータを動力源とする一連の伝動系が作動可能になるのでドアを自動開閉することができる。
【００１２】
本発明の請求項２に記載されたドア施錠装置も施錠やその解除に際して電磁ソレノイドへ通電状態にしたりこれを非通電状態にしたりする。一例として電磁ソレノイドへの通電でプランジャが減速部入力歯付プーリ側へ作動するときは、プランジャに連設された拘束ロッドの先端部が減速部入力歯付プーリの歯間凹所に進入してこれと係止状態になる。この係止状態がドア施錠状態である。当該装置が施錠状態になると減速部入力歯付プーリの回転が拘束ロッドで阻止され、それによって伝動系全体の動きが拘束されるので、扉開閉方向の力を加えてもドアは動かない。逆に電磁ソレノイドへの非通電でプランジャが復帰するときはプランジャに連設された拘束ロッドの先端部が減速部入力歯付プーリの歯間凹所から離脱して前記の係止（施錠）が解除される。この場合はモータを動力源とする一連の伝動系が作動可能になるのでドアを自動開閉することができる。
【００１３】
ちなみに拘束ロッドを介してモータ歯付プーリの回転を阻止するときの力は、減速部による減速比倍だけ減じてよいから、ドア側（減速部出力歯付主動プーリ側）に作用する力の減速比倍でよい。一方、拘束ロッドを介して減速部入力歯付プーリの回転を阻止するときの力は、上記に比べモータ歯付プーリ：減速部入力歯付プーリの減速比分だけ異なる。
【００１４】
【発明の実施の形態】
本発明の自動開閉扉におけるドア施錠装置について、これの実施形態を添付の図面に基づき説明するが、その際のドア施錠装置も前記従来例と同様、既知の自動開閉扉に付設するためのものである。
【００１５】
図１・図２に例示された自動開閉扉Ａは、その高所の横向ベースＢに対して、つぎのような駆動機構Ｃを取り付けることにより構成されている。駆動機構Ｃの動力源としては汎用のモータ１が用いられ、モータ１の出力軸１ａにはモータ歯付プーリ１ｂが取り付けられている。減速部２はモータ１に隣接して設けられている。減速部２の減速部入力歯付プーリ２ａは減速部入力軸２ｃに取り付けられており、減速部２の減速部出力歯付主動プーリ２ｂは減速部出力軸２ｆに取り付けられている。この場合にモータ歯付プーリ１ｂと減速部入力歯付プーリ２ａとにわたり減速部歯付ベルト３が掛け回されている。したがってモータ歯付プーリ１ｂの回転は減速部歯付ベルト３を介して減速部入力歯付プーリ２ａに伝達される。一方で歯付従動プーリ４が減速部出力歯付主動プーリ２ｂと対応するように配置されており、これら減速部出力歯付主動プーリ２ｂと歯付従動プーリ４とにわたり出力部歯付ベルト５が掛け回されている。さらにいうと、出力部歯付ベルト５には連結具５ａを介してドア６が取り付けられている。したがって減速部出力歯付主動プーリ２ｂの回転は出力部歯付ベルト５を介して歯付従動プーリ４に伝達される。ドア６は出力部歯付ベルト５がこのように作動することで、図示しない走行レール等を案内にして開閉されるようになる。
【００１６】
図２に例示された減速部２については、第１中間ギヤ２ｄが減速部入力軸２ｃに取り付けられたり、第１中間ギヤ２ｄに噛み合う第２中間ギヤ２ｅが減速部出力軸２ｆに取り付けられたりして減速機能を発揮するものとなっている。この場合に減速部２の器体２ｇは、入力側軸受２ｈと出力側軸受２ｉとを介して減速部入力軸２ｃや減速部出力軸２ｆを支持している。
【００１７】
本発明の一実施形態では、上記のような自動開閉扉Ａにおいてモータ歯付プーリ１ｂの近傍適所に電磁ソレノイド７が設置される。電磁ソレノイド７はプランジャ７ａに拘束ロッド７ｂが連設されたものである。図１（Ｂ）で理解できるように拘束ロッド７の先端部とモータ歯付プーリ１ｂの歯間凹所７ｄとは相対係止自在に対応している。この場合に電磁ソレノイド７を通電状態にしたり非通電状態にしたりすると、プランジャ７ａや拘束ロッド７ｂがモータ歯付プーリ１ｂ側へ作動したり復帰したりする。たとえば電磁ソレノイド７への通電で拘束ロッド７ｂが歯間凹所７ｄに進入したときは両者が係止状態になる。加えてこの係止状態ではスプリング７ｅが圧縮状態になる。かかる係止作動で拘束ロッド７ｂが歯間凹所７ｄに係止せず歯部７ｃに衝突するようなことがあるとしても、実際はドア６を手動で開閉させたときに拘束ロッド７ｂが歯間凹所７ｄに進入するから施錠が妨げられることはない。電磁ソレノイド７の非通電では、圧縮状態にあったスプリング７ｅの復元力がプランジャ７ａや拘束ロッド７ｂに作用し、拘束ロッド７ｂが歯間凹所７ｄから離脱するので上記の施錠が解除される。
【００１８】
本発明の上記実施形態に係るドア施錠装置によるときは、つぎのようなことがいえる。汎用モータの使用下で施錠の目的を達成することができる。モータ歯付プーリ１ｂを利用するものであるから電磁ソレノイド７の付設で足りる。モータ歯付プーリ１ｂの回転を拘束ロッド７ｂで阻止するから、減速比倍の阻止力でドア６に作用する開閉移動力に抗することができる。電磁ソレノイド７についてもそれほど機械強度の大きなものを用いる必要がなくなる。
【００１９】
本発明の他の一実施形態について、これの基本的構成は上記実施形態と同じである。この一実施形態が前記一実施形態と相違するところ（図示せず）は、減速部入力歯付プーリ２ａの歯部２ｊ間に形成された歯間凹所２ｋに電磁ソレノイド７の拘束ロッド７ｂが係止されることである。したがって作用効果が既述のものと本質的に同一である当該実施形態は、拘束ロッド７ｂとモータ歯付プーリ１ｂとを相対係止するものに比べた場合、ドア６の開閉に抗する阻止力が多少低下するが、実用には十分供することができる。
【００２０】
本発明の各実施形態に関する他の事項は図１・図２を参照してつぎのようなものである。モータ１と減速部２は別途用意された取付板体８の表側８ａにビス止めとか一体形成とかの手段（図示せず）で設置されて互いに隣接する。この場合に減速部出力軸２ｆの前端部は取付板体８の表側に突出し、減速部入力軸２ｃの後端部は取付板体８を貫通して取付板体８の裏側８ｂに突出し、モータ１の出力軸１ａも取付板体８を貫通してその貫通端部が取付板体８の裏側に突出する。取付板体８の裏側にある減速部入力軸２ｃの後端部には減速部入力歯付プーリ２ａが取り付けられ、取付板体８の表側にある減速部出力軸２ｆの前端部には減速部出力歯付主動プーリ２ｂが取り付けられ、さらに取付板体８の裏側に突出した出力軸１ａの端部にはモータ歯付プーリ１ｂが取り付けられる。減速部歯付ベルト３は取付板体８の裏側においてモータ歯付プーリ１ｂと減速部入力歯付プーリ２ａとにわたり掛け回され、出力部歯付ベルト５は取付板体８の表側において減速部出力歯付主動プーリ２ｂとこれに対応する歯付従動プーリ４とにわたり掛け回される。このようにしたときは図２のごとく、モータ歯付プーリ１ｂや減速部入力歯付プーリ２ａが取付板体８の裏側８ｂに露呈する。それで電磁ソレノイド７は、図１（Ｂ）のように位置決めされた後、取付板体８の裏側８ｂにビス８ｃなどで固定される。
【００２１】
上記の位置決めは、図１（Ｂ）において電磁ソレノイド７を励磁または無励磁状態にしたとき、モータ歯付プーリ１ｂの歯間凹所７ｄまたは減速部入力歯付主動プーリ２ｂの歯間凹所２ｋと拘束ロッド７ｂとが係止可能となるように行う。このような位置決め作業は製品の製作工程であらかじめ行うから、自動開閉扉Ａを顧客の指定する出入口の横向ベースＢに取り付けるとき、この種の調整作業が不要となる。したがってこれによるときは図１（Ａ）に示すようにネジ止めなどで取付板体８を所定箇所に固定すればよく、電磁ソレノイド７の位置調整を作業員が行うことはない。
【００２２】
【発明の効果】
本発明の自動開閉扉におけるドア施錠装置はつぎのような効果を有するものである。
(1) モータの出力軸に取り付けられたモータ歯付プーリの回転を電磁ソレノイドの作動で阻止できる構成にしたので、特殊モータでなく汎用モータを採用することができる。したがって製作工程も簡易化されて安価な製品を提供できる。
(2) 別途用意した被拘束スプロケットや案内ブロックなどを自動開閉扉の取付作業時に付設するという従来例のような労力を必要としない。
(3) モータ歯付プーリ・減速部入力歯付プーリ・減速部出力歯付主動プーリ・歯付従動プーリ・減速部歯付ベルト・出力部歯付ベルトを用いたものだから、これら部材間にスリップが発生しない。したがって外力が作用してもスリップによる不本意なドア開閉が起こらず、施錠装置としての信頼性が高い。
(4) 減速部入力歯付プーリの回転を電磁ソレノイドの作動で阻止できる構成のものも上記と同等の作用効果を発揮することができる。
(5) モータと減速部とが取り付けられた取付板体の裏側に電磁ソレノイドを取り付けるものであるから、電磁ソレノイドをあらかじめ取付板体の所定位置に取り付けておくことができる。したがって自動開閉扉の取付作業に際して電磁ソレノイドの位置調整を行う必要がなく、それゆえ高所作業の労力が軽減され、迅速な作業を行うこともできる。
【図面の簡単な説明】
【図１】本発明ドア施錠装置を有する自動開閉扉を略示した正面図と要部拡大背面図である。
【図２】本発明ドア施錠装置の要部を一部切り欠いて示した拡大平面図である。
【図３】従来の自動開閉扉をドア施錠装置とともに略示した全体の正面図である。
【図４】図３の装置の要部を一部切り欠いて略示した拡大平面図である。
【図５】従来の他のドア施錠装置について要部を一部切り欠いて略示したドア施錠状態の平面図とその解除状態の平面図である。
【符号の説明】
１    モータ
１ａ  出力軸
１ｂ  モータ歯付プーリ
２    減速部
２ａ  減速部入力歯付プーリ
２ｂ  減速部出力歯付主動プーリ
２ｋ  歯間凹所
３    減速部歯付ベルト
４    歯付従動プーリ
５    出力部歯付ベルト
６    ドア
７    電磁ソレノイド
７ａ  プランジャ
７ｂ  拘束ロッド
７ｄ  歯間凹所
８    取付板体
８ａ  表出側
８ｂ  裏側
Ａ    自動開閉扉
【図１】
0003556892.tif 000002
【図２】
0003556892.tif 000003
【図３】
0003556892.tif 000004
【図４】
0003556892.tif 000005
【図５】
0003556892.tif 000006